(57)【特許請求の範囲】
【請求項１】
頭周りに合わせて設けられる頭周り部と、帯状の冠形成体によって構成される冠部とを有し、
前記頭周り部に交差させて前記冠形成体を接続することにより、該冠形成体の先端部が頭周り部と対応する位置よりも下方に垂れ下がる構成とし、
前記冠形成体を、前記冠部を形成するために必要な部分とそれ以外の前記頭周り部に対応する位置及びそれよりも先端部側からなる余剰部分とから構成し、
前記冠形成体の前記余剰部分及び前記頭周り部には、両者を離着可能に接続する面ファスナをそれぞれ設け、
前記頭周り部の面ファスナに対する前記余剰部分の面ファスナの接続位置を調整することにより、前記冠部の長さを調整可能としたことを特徴とする頭部装着具。
【請求項２】
前記頭回り部の後方部にはその内外両側に前記面ファスナを取り付け、頭回り部の外側から内側に折り返すようにして冠形成体が接続されるように構成したことを特徴とする請求項１記載の頭部装着具。
【請求項３】
前記頭回り部の面ファスナをフック面が外側に向いたファスナ部材とし、前記余剰部分の面ファスナをループ面が内側に向いたファスナ部材としたことを特徴とする請求項１又は２記載の頭部装着具。
【請求項４】
前記冠形成体の少なくとも一端を前記頭周り部に離着不能に接続すると共に、他端を前記頭周り部に対して離着可能に接続する構成としたことを特徴とする請求項１乃至３の何れかに記載の頭部装着具。
【請求項５】
前記頭周り部において頭部装着具前方部に前記冠形成体を離着不能に接続すると共に、頭部装着具後方部に前記冠形成体を離着可能に接続したことを特徴とする請求項４記載の頭部装着具。
【請求項６】
前記頭周り部を、頭周り方向の長さが調整可能な構成としたことを特徴とする請求項１乃至５の何れかに記載の頭部装着具。
【請求項７】
前記頭周り部又は前記冠部に、携帯装備品等を装備可能とするための可装部を設けたことを特徴とする請求項１乃至６の何れかに記載の頭部装着具。
【請求項８】
前記頭周り部又は前記冠部に、頭周り部よりも下方に垂れ下がった袋体を設けたことを特徴とする請求項１乃至７の何れかに記載の頭部装着具。
【請求項９】
前記袋体を前記頭周り部又は前記冠部とは別部材として、当該頭周り部又は冠部に対して着脱可能としたことを特徴とする請求項８記載の頭部装着具。
【請求項１０】
前記冠形成体の垂れ下がり部分に袋体を設けたことを特徴とする請求項１記載の頭部装着具。
【請求項１１】
前記袋体を着用者の頸部まで垂れ下げる構成とし、該袋体に保冷剤を収容したことを特徴とする請求項８乃至１０の何れかに記載の頭部装着具。
【請求項１２】
ヘルメットの中敷き帽子として使用することを特徴とする請求項１乃至１１のいずれかに記載の頭部装着具。
【請求項１３】
前記頭周り部及び前記冠部の全体又はほぼ全体を覆う帽体部を更に設けたことを特徴とする請求項１乃至１２のいずれかに記載の頭部装着具。
【発明の詳細な説明】
【発明の属する技術分野】
本発明は、外出時等に着用するキャップ、ハット等の帽子や、ヘルメット等の下に着用する中敷き帽子といった頭部装着具に関するものである。
【従来の技術】
従来より、サイズ調整を可能とした帽子が各種提案されている。例えば、特許文献１では、帽子本体の後部中央に切除部を設けると共に該切除部にサイズ調節用ベルトとサイズ調節具を設けた帽子において、前記サイズ調節用ベルトを伸縮性のある弾性織布により形成すると共に、帽子本体の内周下縁部に沿って弾性織布性のスエットバンドを縫着する構成としていた。そしてこれにより、フィット感が向上し、風等による脱げ落ちが防止できるものとしていた。その他にも、帽子の周方向に調整ひもを設けてこの調整ひもを絞ったり緩めたりすることにより頭回りサイズを調整するものや、帽子全体を伸縮性のある素材で形成するものなどが提案されている。
【特許文献１】
特開２００３−３３１６号公報
【発明が解決しようとする課題】
しかしながら、既存の帽子では以下に示す問題があった。すなわち、上記特許文献１の帽子では、サイズ調整のために帽子の頭周りサイズを小さくすると、それに伴い帽子本体後部で余り皺が生じ、後方への出っ張りが生じるなど見栄えが損なわれるおそれが生じる。また、元々大きめの帽子を被る場合や、頭囲の比較的小さい人（例えば女性や年少者など）が帽子を被る場合において、帽子がずり落ちて目や耳等にかからないようにするには、サイズ調節具をきつめに締め付けておかなければならず、この状態で帽子を長時間着用すると、その圧迫から不快感が生じるおそれもあった。頭周り方向に調整ひもを設けた帽子でも同様の問題が生じ得る。
また、帽子全体を伸縮性のある素材で形成した帽子では、ニット素材やウレタン素材を用いなければならない等、素材の限定が強いられるという不都合が生じる。更に伸縮性素材を使用した帽子の場合、繰り返し使用すること又は洗濯することにより素材の収縮率が低下し、帽子自体の形状が保てなくなる、帽子全体が伸びてしまう、頭に対して帽子の密着感がなくなる等の問題が生じる。
本発明は上記事情に鑑みてなされたものであり、その目的とするところは、上記諸問題を新規な構成で解決し、しかも使い勝手の良い頭部装着具を提供することである。
【課題を解決するための手段】
手段１では、頭周りに合わせて設けられる頭周り部と、帯状の冠形成体によって構成される冠部とを有し、前記頭周り部に交差させて前記冠形成体を接続することにより、該冠形成体の先端部が頭周り部と対応する位置よりも下方に垂れ下がる構成とし、前記冠形成体を、前記冠部を形成するために必要な部分とそれ以外の前記頭周り部に対応する位置及びそれよりも先端部側からなる余剰部分とから構成し、前記冠形成体の前記余剰部分及び前記頭周り部には、両者を離着可能に接続する面ファスナをそれぞれ設け、前記頭周り部の面ファスナに対する前記余剰部分の面ファスナの接続位置を調整することにより、前記冠部の長さを調整可能としている。本構成によれば、冠部の長さを変更することにより頭部装着具の深さが変更できるようになる。従って、必ずしも頭周りサイズを過剰にきつくしなくても頭部装着具がずり落ちることはなく、安定した状態で頭部装着具を着用することができる。また、サイズ調整のために伸縮性素材の使用が強いられる等の制約が生じず、更に伸縮性素材であるが故に生じる伸びや着用感の経時変化といった問題も生じない。以上により、深さ調整可能となる新規な構成を付加することで従来の諸問題が解決でき、しかも使い勝手の良い頭部装着具を提供することができるようになる。
なお、本手段の頭部装着具は、外出時等に着用するキャップやハット等の帽子の他、手段１２に記載したように、ヘルメットの中敷き帽子としても使用できる。
手段２では、前記頭回り部の後方部にはその内外両側に前記面ファスナを取り付け、頭回り部の外側から内側に折り返すようにして冠形成体が接続されるように構成した。本構成によれば、冠部を所望の長さとすることができる。
手段３では、前記頭回り部の面ファスナをフック面が外側に向いたファスナ部材とし、前記余剰部分の面ファスナをループ面が内側に向いたファスナ部材とした。本構成によれば、フック面側のファスナ部材が頭皮に当たることが避けられる。
手段４では、前記冠形成体の少なくとも一端を前記頭周り部に離着不能に接続すると共に、他端を前記頭周り部に対して離着可能に接続する構成としている。この場合、冠形成体の少なくとも一端を離着不能な固定端とすることで、当該冠形成体の長さ調整を容易に行うことができるようになる。
手段５では特に、前記頭周り部において頭部装着具前方部に前記冠形成体を離着不能に接続すると共に、頭部装着具後方部に前記冠形成体を離着可能に接続しており、頭部装着具後方部にて冠形成体の長さ調整が行われる。本構成によれば、冠形成体の離着部分が前方より見えにくくなり、頭部装着具としての見栄えが向上する。またこの場合、前方から見ただけでは、前記の如く深さ調整可能な構成を持つものとは見分けのつかない頭部装着具を実現することも可能となる。なお、キャップ型タイプの帽子のように庇部を有する頭部装着具では、庇部とは反対側が頭部装着具後方部となり、その後方部において冠形成体が離着可能な構成となっている。
手段６では、前記頭周り部を頭周り方向の長さが調整可能な構成としたため、冠部の深さ調整だけでなく、頭周り部の頭周りサイズの調整も可能となる。頭の形状に合わせて頭部装着具を着用するには、深さサイズだけでなく、頭周りサイズも調整するのが望ましく、手段６によれば、頭部装着具を着用した時の安定感がより一層向上する。
上記の如く安定状態での着用が可能となる頭部装着具にあっては、頭部装着具に重量がかかる状態であってもずり落ちが防止されるため、例えば携帯ラジオ、小型ライト等の携帯装備品やその他小物類を装備することも可能となる。手段７では、前記頭周り部又は前記冠部に、携帯装備品等を装備可能とするための可装部を設けている。可装部としては、収納ポケットや携帯バンド等を頭周り部又は冠部に設けると良い。
また、手段８では、前記頭周り部又は前記冠部に、頭周り部よりも下方に垂れ下がった袋体を設けている。かかる場合、袋体は、頭周り部よりも下方に垂れ下がった状態で設けられているため、着用者の頸部又は耳元の辺りに袋体がくることになる。従って、例えば、夏場において袋体に保冷剤を入れて頸部辺りを冷やしたり、逆に冬場において袋体に保温剤を入れて耳元辺りを暖めたりするのに好都合な頭部装着具が実現できる。特に作業用ヘルメットの中敷き帽子として使用し、炎天下で着用する場合を想定すると、袋体に保冷剤を入れることで頭部や頸部を効率良く冷やすことが可能となる。その他、前記袋体に脱臭剤や汗取り剤（吸湿剤）を入れることも考えられる。
前記手段８では手段９に記載したように、前記袋体を前記頭周り部又は前記冠部とは別部材として、当該頭周り部又は冠部に対して着脱可能としても良く、本構成によれば、必要に応じて前記袋体を装着又は離脱させたり、大きさや長さ等が異なる袋体を選択的に装着したりすることが可能となる。また、頭周り部又は冠部に対する袋体の取り付け位置を変更することにより、袋体の垂れ下がり長さを容易に変更できるようになる。故に、例えば、着用者が所望とする場所を確実に冷却したりすることができるようになる。
手段１０では、冠形成体の垂れ下がり部分に袋体を設けている。つまり本手段１０では、冠形成体は、頭部装着具の深さ調整機能を有することに加え、保冷剤等の収容機能を有する構成となっている。
前記袋体に保冷剤を収容する場合、手段１１に記載したように、前記袋体を着用者の頸部まで垂れ下げる構成とすると良い。これにより、頭部だけでなく頸部にかけても冷却効果が得られ、例えば、作業用ヘルメットの中敷き帽子として使用し、炎天下で着用する場合にも頭部や頸部を効率良く冷やすことが可能となる。
頭周り部の少なくとも２点を結ぶように冠部を設ける構成では、着用者の頭で冠部で覆われない部分ができることもある。そこで、手段１３に記載したように、前記頭周り部及び前記冠部の全体又はほぼ全体を覆う帽体部を更に設けるようにしても良い。これにより、冠部と帽体部とにより頭部の保護や直射日光の遮断等が可能となる。本構成にあっても、既述の通り深さ調整が可能となること等の優れた効果が得られることに変わりはない。
【００２４】
【発明の実施の形態】
（第１の実施の形態）
以下、本発明を具体化した第１の実施の形態を図面に従って説明する。
【００２５】
図１は本実施の形態における帽子１０の外観形状を示す斜視図であり、（ａ）は斜め前方より見た図、（ｂ）は斜め後方より見た図である。図１に示すように、帽子１０は大別して頭周り部１１、庇部１２及び冠部１３を有している。頭周り部１１は円環状をなし、その前方側には庇部１２が取り付けられている。頭周り部１１には前方部から後方部にかけて冠部１３が設けられている。冠部１３は、前方部が幅広で、それ以外が幅狭な帯状をなす形状となっている。帽子１０は、概ね全体が例えば木綿素材で構成されるが、この他フェルトや、ナイロン等の合成繊維、天然繊維と合成繊維との混紡繊維等でも良く、更に布地ではなく皮革素材、紙素材であっても良い。
【００２６】
また本実施の形態の帽子１０は、頭周り方向及び深さ方向にサイズ調節可能となっている。詳述すると、図２に示すように、頭周り部１１は少なくとも一部が切り離されてなるベルト体１５により形成されており、該ベルト体１５の切り離し端部における重ね合わせ長を変更することで、頭周り部１１のサイズ、すなわち頭周りサイズが調整可能となっている。かかる場合、ベルト体１５端部の重ね合わせ部分には、当該部分の離着を可能とするための面ファスナ１６が取り付けられている。具体的には、図３に示すように、一対のファスナ部材１６ａ，１６ｂがベルト体１５に取り付けられており、そのファスナ部材１６ａ，１６ｂが互いに接合されるようになっている。面ファスナ１６としては、例えばマジックテープ（登録商標）を用いればよく、マジックテープを用いる場合、一例としてフック面（硬い方の面）を構成するファスナ部材を外側に向けて設け、逆にループ面（柔らかい方の面）を構成するファスナ部材を内側に向けて設けると良い。これにより、フック面側のファスナ部材が頭皮に当たることが避けられ、帽子１０の装着感が損なわれると要った不都合も抑制される。
【００２７】
図示は省略しているが、本実施の形態の帽子１０では、頭周り部１１のサイズ調整部を、左右の側頭部に１カ所ずつ（計２カ所）設ける構成としている。つまり、ベルト体１５は左右１カ所ずつで切り離され、その２カ所それぞれに面ファスナ１６が設けられている。勿論、頭周り部１１のサイズ調整部を１カ所にのみ設ける構成であっても良く、頭周りサイズが同様に調整できることには変わりない。
【００２８】
また、同じく図２に示すように、冠部１３は、帽子１０の前後方向に延びる冠形成体１７により形成されており、該冠形成体１７の基端部（帽子前方部）は頭周り部１１に対して縫着等により固定され、同先端部（帽子後方部）は頭周り部１１に対して離着可能な構成となっている。つまり、冠形成体１７の後方先端部は自由端となっており、この自由端側において頭周り部１１に対する接続位置を変更することで、冠部１３の長さ、すなわち帽子深さが調整可能となっている。
【００２９】
かかる場合、冠形成体１７とその結合相手である頭周り部１１の後方部とには、互いの離着を可能とするための接合手段としての面ファスナ１８が取り付けられている。具体的には、図２及び図４に示すように、頭周り部１１の後方部にはその内外両側にファスナ部材１８ａが取り付けられ、冠形成体１７の先端部にはファスナ部材１８ｂが取り付けられている。冠形成体１７側のファスナ部材１８ｂは、冠形成体１７の長手方向に沿って長めに設けられている。更に言えば、冠形成体１７は、冠部１３として必要な部分よりも長めに設けられており、その余剰部分にファスナ部材１８ｂが設けられている。そして、適当な位置で頭周り部１１の外側から内側に折り返すようにして冠形成体１７が接続されるようになっている。これにより、冠部１３を所望の長さとすることができる。頭周り部１１の後方部において、冠形成体１７折り返し用の切欠や長穴（スリット）等を設けておいても良い。但し、冠形成体１７を折り返すようにして頭周り部１１に接続する構成は必須ではなく、単に頭周り部１１の外側又は内側に冠形成体１７を接続する構成であっても良い。
【００３０】
面ファスナ１８としては、前記ベルト体１５と同様、例えばマジックテープ（登録商標）を用いればよく、マジックテープを用いる場合、一例としてフック面（硬い方の面）を構成するファスナ部材を冠形成体１７側に設け、逆にループ面（柔らかい方の面）を構成するファスナ部材を頭周り部１１側に設けると良い。これにより、フック面側のファスナ部材が頭皮に当たることが避けられ、帽子１０の装着感が損なわれると要った不都合も抑制される。
【００３１】
上記構成の帽子１０を着用するには、帽子１０の側頭部において面ファスナ１６の接合位置を変更して頭周りサイズを調整すると共に、帽子１０の後方部において面ファスナ１８の接合位置を変更して深さサイズを調整する。これにより、着用者の頭の大きさや好み等に合わせて所望とするサイズに調整した上で、帽子１０を着用することができるようになる。この場合、頭周り部１１及び冠部１３が着用者の頭に適正にフィットし、装着感も快いものとなる。
【００３２】
以上詳述した本実施の形態によれば、以下の優れた効果が得られる。
【００３３】
冠部１３の長さ、すなわち深さサイズを調整可能としたため、必ずしも頭周りサイズを過剰にきつくしなくても帽子１０がずり落ちることはなく、安定した状態で帽子１０を着用することができる。頭が上下に長い人、又は額が大きい人にとっても、ほどよい深さとすることができる。また、サイズ調整のために伸縮性素材の使用が強いられる等の制約が生じず、更に伸縮性素材であるが故に生じる伸びや着用感の経時変化といった問題も生じない。以上により、従来の諸問題が解決でき、しかも使い勝手の良い帽子１０を提供することができるようになる。本実施の形態では更に、頭周りサイズも調整可能としたため、帽子１０を着用した時の安定感がより一層向上する。
【００３４】
上記の通りサイズ調整可能となることにより、小刻みに帽子サイズを設定する必要がなくなり、製造工場での帽子製造や販売店での在庫管理の上でもメリットが生まれる。一般的に、非収縮素材で頭囲５４ｃｍ〜６４ｃｍの帽子を製作するとなると、２〜３ｃｍ毎にサイズ変更してそれぞれ頭囲の異なる３，４個の帽子を製作する必要があるが、本実施の形態によれば１個の帽子１０で上記頭囲サイズをカバーすることが可能となる。従って、製造面、在庫管理面での効果も得られる。かかる場合、深さサイズと頭周りサイズとが共に調整可能であることから、実質上適用可能となる頭囲サイズが拡張できるようになる。
【００３５】
また、子供用の帽子として具体化する場合、子供の成長に合わせて頭周りサイズと帽子深さとを共に変更しながら使用することで、長期にわたって同じ帽子を使用することができるようになる。
【００３６】
冠形成体１７の帽子前方部を固定端とすると共に、帽子後方部にて長さ調整を可能としたため、冠形成体１７の離着部分が前方より見えにくくなり、帽子１０としての見栄えが向上する。またこの場合、前方から見ただけでは、前記の如く深さ調整可能な構成を持つものとは見分けのつかない帽子１０を実現することも可能となる。
【００３７】
前記図１に示す帽子１０を、その構成の一部を変更して具体化することも可能であり、前記図１の構成との相違点を中心に帽子１０の変形例を以下に説明する。図５（ａ）では、三股に形成した冠形成体２１を用い、当該冠形成体２１の三方の先端部を、それぞれに頭周り部１１に接続することで冠部１３を形成している。図示の構成では、冠形成体２１と頭周り部１１との接続を前方１カ所、後方２カ所としており、前方の接続部分は固定とし、他２つの接続部分は接合手段としての面ファスナ２２，２３により離着可能な構成としている。冠形成体を四方以上に分岐した形状としたり、頭頂部より放射状に広がるような形状としたりすることも可能である。なお本構成では、頭周り部１１の後方１カ所に、頭周りサイズ調整用の面ファスナ２４が取り付けられている。
【００３８】
また、図５（ｂ）では、頭周り部１１の前方部及び後方部に２つの冠形成体２６，２７を取り付け、それら冠形成体２６，２７の先端部を接続することで冠部１３を形成している。冠形成体２６，２７の基端部はそれぞれ縫着等により固定されている。冠形成体２６，２７の接続部分は接合手段としての面ファスナ２８により離着可能な構成としており、両冠形成体２６，２７の重ね合わせ長を変更することで、深さ方向のサイズが調整可能となっている。面ファスナ２８は、冠形成体２６，２７の長手方向の所定範囲にわたって延設されていると良い。
【００３９】
上記図５（ａ），（ｂ）の各構成においても、頭周り方向及び深さ方向にサイズ調節可能となることから、既述の通り優れた効果を奏し得る。
【００４０】
また、上記構成の帽子１０の場合、安定状態での着用が可能となり、帽子１０に重量がかかってもずり落ちが防止できることから、帽子自体に何らかの携帯装備品や小物類を装着することが可能になると考えられる。具体的な構成例を図６に基づいて説明する。なお、図６の構成では、帽子前頭部の形状が前記図１等と幾分異なり、頭周り部１１の前方部を高くして前頭部１０ａを形成しているが、頭周り方向及び深さ方向にサイズ調節可能であること等の基本構造には何ら変更はない。
【００４１】
図６（ａ）に示すように、帽子１０の前頭部１０ａにはその内側に可装部としての収納ポケット３１が設けられており、この収納ポケット３１には例えば薄型の携帯ラジオ等を収納できるようになっている。勿論、収納ポケット３１には携帯ラジオ以外の装備品を収納しても良く、小型の手帳や筆記具、その他保冷剤や汗取り剤等を収納することも可能となる。
【００４２】
また図６（ｂ）では、頭周り部１１に可装部としての携帯バンド３２が設けられており、その携帯バンド３２に小型ライト３３等を装備可能な構成としている。以上のように帽子１０に携帯装備品等を装着しても、安定した状態での帽子１０の着用が可能となる。
【００４３】
（第２の実施の形態）
上記第１の実施の形態ではキャップ型タイプの帽子に本発明を具体化したが、本実施の形態では、ヘルメット等の装着時に使用される中敷き帽子に本発明を具体化しており、以下その詳細を説明する。
【００４４】
図７に示すように、中敷き帽子（以下、単に帽子４０という）は大別して頭周り部４１及び冠部４２を有している。頭周り部４１は円環状をなし、その頭周り部４１に帯状をなす冠部４２が取り付けられている。帽子４０は例えば木綿素材で構成されるが、この他フェルトや、ナイロン等の合成繊維、天然繊維と合成繊維との混紡繊維、紙素材等でも良い。本帽子４０の場合、着用方向は特に限定されないが、通常は冠部４２が前後方向に延びるようにして着用されるものと想定される。
【００４５】
帽子４０は、前記第１の実施の形態と同様に、頭周り方向及び深さ方向にサイズ調節可能となっている。その構成は前記第１の実施の形態と同様であるため、ここでは簡単に説明する。頭周り部４１を構成するベルト体４３は少なくとも一部で切り離され、該ベルト体４３の切り離し端部における重ね合わせ長を変更することで頭周りサイズが調整可能となっている。ベルト体４３端部の重ね合わせ部分には、例えばマジックテープ（登録商標）よりなる面ファスナ４４が取り付けられている。また、冠部４２を構成する冠形成体４５は、一端（図７の右奥側）が頭周り部４１に対して縫着等により固定され、他端（図７の左手前側）が頭周り部４１に対して離着可能な構成となっている。冠形成体４５の離着可能部分には、例えばマジックテープ（登録商標）よりなる接合手段としての面ファスナ４６が取り付けられている。適当な位置で頭周り部４１の外側から内側に折り返すようにして冠形成体４５が接続されるようになっている構成も同様である。
【００４６】
以上第２の実施の形態における帽子４０においても、上記第１の実施の形態における帽子１０と同様に、深さサイズ及び頭周りサイズが調整可能となることから、従来の諸問題が解決でき、しかも使い勝手の良い帽子４０を提供することができるようになる。製造面、在庫管理面での効果も同様に得られる。
【００４７】
前記図７に示す帽子４０を、その構成の一部を変更して具体化することも可能であり、前記図７の構成との相違点を中心に帽子４０の変形例を以下に説明する。図８（ａ）では、頭周り部４１に交差させて冠形成体４５を接続することにより該冠形成体４５の先端部が頭周り部４１よりも下方に垂れ下がる構成とすると共に、冠形成体４５の垂れ下がり部分に一体的に袋部（袋体）５１を設けている。冠形成体４５は、袋部５１の背面において面ファスナ４６により頭周り部４１に接続されている。袋部５１が後ろになるように帽子４０を着用した場合、袋部５１は着用者の後頭部から頸部にかけて対面するようになっている。例えば、野外で工事用ヘルメットを着用する場合において、袋部５１に保冷剤を入れた状態で帽子４０を被り、更にその上からヘルメットを着用すれば、着用者の後頭部から頸部にかけての範囲で冷却効果が得られる。つまり、頭部のみならず、頸部を含めて広い範囲で冷却効果が得られる。またこの場合、頸部を直射日光から保護することもできる。従って、真夏の炎天下でも快適に作業できるようになる。袋部５１内には、保冷剤の他に、脱臭剤や汗取り剤（吸湿剤）等を入れることも可能である。
【００４８】
図８（ｂ）は、冠形成体４５を頭周り部４１の内側に配置した構成を示す。それ以外は前記（ａ）と同様である。
【００４９】
また、図９の構成では、帽子４０とは別部材として袋体５５が設けられ、この袋体５５を帽子４０に対して着脱可能としている。袋体５５と冠部４２の少なくとも１カ所（図では２カ所）には、面ファスナを構成するファスナ部材５６，５７がそれぞれ設けられている。ファスナ部材５７を頭周り部４１に設ける構成であっても良い。本構成によれば、帽子深さの調整とは別に、袋部材５５の位置調整が可能となるため、保冷剤による冷却場所を調整することができるようになる。つまり、袋体５５の取り付け位置を変更することにより、袋体５５の垂れ下がり長さを容易に変更できるようになる。故に、着用者が所望とする場所を確実に冷却したりすることができるようになる。また、必要に応じて袋体５５を装着又は離脱させたり、大きさや長さ等が異なる袋体５５を選択的に装着したりすることも可能となる。
【００５０】
なお、本発明は上記実施の形態の記載内容に限定されず、例えば次のように実施しても良い。
【００５１】
例えば図１０に示す帽子４０において、頭周り部４１のサイズ調整部分に伸縮ベルト部６１を介在させる構成とする。この場合、ベルト体４３と伸縮ベルト部６１との間に面ファスナ６２が設けられる。帽子深さの調整部分にも同様に伸縮ベルト部を介在させる構成とすることも可能である。すなわち、冠形成体の一部に伸縮ベルト部を設ける。
【００５２】
上記各実施の形態では、冠部を構成する冠形成体は、その一端が頭周り部に固定される固定端となり、他端が離着可能な自由端となっていたが、何れの端部も離着可能な自由端とすることも可能である。例えば、図７の帽子４０で説明すれば、冠形成体４５の２つの端部に共に面ファスナを設けて、何れの部位においても離着可能な構成とする。
【００５３】
上記各実施の形態では、冠部を帽子の前後方向に延びるよう構成したが、この構成に限られず、左右方向に延びる構成であっても良い。また、その形状も何ら限定されない。
【００５４】
前記図８の帽子４０では、１カ所に袋部５１（垂れ下がり部分）を設けたが、これを２カ所以上に設けることも可能である。例えば、左右２カ所に袋部（垂れ下がり部分）を設ける構成とする。かかる場合、袋部が着用者の両耳にさしかかるため、冬場において袋部に保温剤を入れて耳元辺りを暖めたりするようにしても良い。
【００５５】
例えば図１において頭周り部１１と冠形成体１７とを離着可能に接合する接合手段、或いは図５（ｂ）において冠形成体２６，２７同士を離着可能に接合する接合手段として、面ファスナによるもの以外に、フックやボタン等によるものなどが適用できる。言い換えると、連続的なサイズ調整が可能なもの以外にも、段階的にサイズ調整可能なものも適用できる。
【００５６】
頭周り部及び冠部の全体又はほぼ全体を覆う帽体部を更に設けるようにしても良い。例えば図１の帽子１０で言えば、少なくとも冠部１３の左右両側の開口部を塞ぐように帽体部を被せるようにする。これにより、冠部と帽体部とにより頭部の保護や直射日光の遮断等が可能となる。本構成にあっても、既述の通り深さ調整が可能となること等の優れた効果が得られることに変わりはない。例えば、図７に示す帽子４０に背高の帽体部を被せることで調理用帽子を構成する場合などもこの技術的思想に含まれる。
【図面の簡単な説明】
【図１】第１の実施の形態における帽子の外観を示す斜視図である。
【図２】頭周りサイズ及び深さを調整可能とする構成を説明するための斜視図である。
【図３】頭周りサイズを調整可能とする構成を説明するための断面図である。
【図４】帽子深さを調整可能とする構成を説明するための断面図である。
【図５】帽子の変形例を示す斜視図である。
【図６】帽子の変形例を示す斜視図である。
【図７】第２の実施の形態における帽子の外観を示す斜視図である。
【図８】帽子の変形例を示す斜視図である。
【図９】帽子の変形例を示す斜視図である。
【図１０】帽子の変形例を示す斜視図である。
【符号の説明】
１０…帽子、１１…頭周り部、１２…庇部、１３…冠部、１７…冠形成体、１８…面ファスナ、２１…冠形成体、２２，２３…面ファスナ、２６，２７…冠形成体、２８…面ファスナ、３１…収納ポケット、３２…携帯バンド、４０…帽子、４１…頭周り部、４２…冠部、４５…冠形成体、４６…面ファスナ、５１…袋部、５５…袋体。
【要約】【課題】従来の諸問題を新規な構成で解決し、しかも使い勝手の良い頭部装着具を提供すること。
【解決手段】帽子１０は大別して頭周り部１１、庇部１２及び冠部１３を有している。頭周り部１１は切り離し端部の重ね合わせ長を変更することで、頭周り部１１のサイズ、すなわち頭周りサイズが調整可能となっている。また、冠部１３は帽子１０の前後方向に延びる冠形成体１７により形成されており、該冠形成体１７は頭周り部１１に対して離着可能に接続されると共に、冠形成体１７において頭周り部１１との接続位置が変更可能となっている。これにより、冠部１３の長さ、すなわち帽子深さが調整できる。
【選択図】      図１【図１】
0003553566.tif 000002
【図２】
0003553566.tif 000003
【図３】
0003553566.tif 000004
【図４】
0003553566.tif 000005
【図５】
0003553566.tif 000006
【図６】
0003553566.tif 000007
【図７】
0003553566.tif 000008
【図８】
0003553566.tif 000009
【図９】
0003553566.tif 000010
【図１０】
0003553566.tif 000011